(57)【要約】【課題】直接ランプに接触するのを防止することのできる照明装置を提供する。【解決手段】ソケット３３に取付けた光源３１よりも上方まで設けられた取付台３５の、光源３１の上方に設けられている開口３５ｃに蓋部材４０を取付けたので、直接光源３１に接触するのを防止することができる。また、蓋部材４０を可撓性を有する弾性体で形成したので、蓋部材４０を容易に変形させて光源３１の交換を行うことができる。さらに、蓋部材４０には放熱孔４２ａ、４２ｂを設けたので、光源３１の発する熱を放出することができる。【選択図】図１
2009129756.tif 000002
【特許請求の範囲】
【請求項１】
支持台の上端部に取付けられ光源を有する灯具と、灯具を覆うセードを有する照明装置であって、
前記灯具が、前記支持台に接続する取付部と、取付部の上方に設けられて前記光源を取付けるソケットと、前記取付部に設けられ前記ソケットおよび光源の上方にまで延びる複数本の支持部材を有するとともに中央部に開口を有し前記セードを取り付ける取付台と、を有し、
前記取付台の開口を覆う可撓性を有する弾性体からなる蓋部材を設けるとともに該蓋部材に放熱孔を設けたことを特徴とする照明装置。
【請求項２】
前記蓋部材は、前記取付台に１箇所で取付けられていることを特徴とする請求項１記載の照明装置。
【発明の詳細な説明】
【技術分野】
【０００１】
本発明は、支持台の上端部に取付けられ光源を有する灯具にセードを取付けたスタンド型の照明装置に関するものである。
【背景技術】
【０００２】
従来のスタンド型の照明装置１００は、図５に示すように、床面上に載置され電源コード１０１が導出されているベース部１０２と、ベース部１０２に立設された支柱１０３と、支柱の上端部に設けられた灯体部１０４とを有しており、灯体部１０４はセード１０５で覆われている（例えば特許文献１参照）。
【０００３】
灯体部１０４では、支柱１０３の上端にソケット１０６が取付けられており、ソケット１０６には光源であるランプ１０７が取付けられている。また、支柱１０３の上端部付近から上方にセード支持金具１０８が設けられている。一方、セード１０５の上部開口１０５ａには取付金具１０９が取付けられており、この取付金具１０９をセード支持金具１０８の上端に取付けることによりセード１０５が灯体部１０４に取付けられている。
【特許文献１】特開平８−２０３３２６号公報（第１図）
【発明の開示】
【発明が解決しようとする課題】
【０００４】
しかしながら、前述した特許文献１に記載の照明装置１００においては、セード１０５の上部にはランプ１０７が発する熱を照明装置１００の外部に放出するための上部開口１０５ａが設けられているためランプ１０７が上方に露出しており、使用者が直接ランプ１０７に接触して火傷したり、物が当たってランプ１０７が破損したりするおそれがあるという問題があった。
【０００５】
本発明は、従来の問題を解決するためになされたもので、直接ランプに接触するのを防止することのできる照明装置を提供することを目的とする。
【課題を解決するための手段】
【０００６】
本発明の照明装置は、支持台の上端部に取付けられ光源を有する灯具と、灯具を覆うセードを有する照明装置であって、前記灯具が、前記支持台に接続する取付部と、取付部の上方に設けられて前記光源を取付けるソケットと、前記取付部に設けられ前記ソケットおよび光源の上方にまで延びる複数本の支持部材を有するとともに中央部に開口を有し前記セードを取り付ける取付台と、を有し、前記取付台の開口を覆う可撓性を有する弾性体からなる蓋部材を設けるとともに該蓋部材に放熱孔を設けた構成を有している。
【０００７】
この構成により、ソケットに取付けた光源よりも上方まで設けられた取付台の、光源の上方に設けられている開口に蓋部材を取付けたので、直接光源に接触するのを防止することができる。また、蓋部材を可撓性を有する弾性体で形成したので、蓋を容易に変形させて光源の交換を行うことができる。さらに、蓋部材には放熱孔を設けたので、光源の発する熱を放出することができる。
【０００８】
また、本発明の照明装置は、前記蓋部材は、前記取付台に１箇所で取付けられている構成を有している。
【０００９】
この構成により、可撓性のある弾性部材からなる蓋部材を、１箇所で取付台に取付けてあるので、容易に蓋部材を開けて光源の交換等を行うことができる。
【発明の効果】
【００１０】
本発明は、ソケットに取付けた光源よりも上方まで設けられた取付台の、光源の上方に設けられている開口に蓋部材を取付けたので、直接光源に接触するのを防止することができる。また、蓋部材を可撓性を有する弾性体で形成したので、蓋部材を容易に変形させて光源の交換を行うことができる。さらに、蓋部材には放熱孔を設けたので、光源の発する熱を放出することができるという効果を有する照明装置を提供することができるものである。
【発明を実施するための最良の形態】
【００１１】
以下、本発明の実施の形態の照明装置について、図面を用いて説明する。
図１（Ａ）は本発明にかかる照明装置の正面図および断面図、図１（Ｂ）は同じく平面図、図２（Ａ）は灯具の正面図および断面図、図２（Ｂ）は同じく平面図、図３は取付台の一例を示す斜視図である。
【００１２】
図１に示すように、本発明にかかる照明装置１０では、支持台２０の上端部に取付けられ光源であるランプ３１を有する灯具３０と、灯具３０を覆うセード１１を有している。
支持台２０は、床やテーブル等に載置するベースプレート２１と、ベースプレート２１から上方へ向けて立設された例えば円管状のポール２２と、を有している。あるいは、支持台２０は、ベースプレート２１とポール２２とが一体となった例えば円錐形状や角錐形状のものでもよい。なお、ランプ３１に電力を供給する電線１２は、ベースプレート２１の下方からポール２２の内部空間を通って配線されている。
【００１３】
図２に示すように、灯具３０は、支持台２０の上端に取付けられる取付部３４と、取付部３４の上に取り付けられたソケット台３２と、ソケット台３２の上に取付けられたソケット３３を有しており、ソケット３３にはランプ３１が取付けられている。また、ソケット台３３およびソケット３３の外側を覆うソケットカバー３６がソケット台３２に取付けられており、ソケットカバー３６の上端部に取付台３５の支持部材３５ａの下端がネジ３６ａで取付けられている。
【００１４】
従って、取付台３５は、ソケットカバー３６およびソケット台３２を介して取付部３４に取り付けられることになる。なお、ソケットカバー３６および取付台３５の外側には、灯具３０の全高にわたってガラスや樹脂等の透明部材により灯具カバー３７が設けられており、側面からランプ３１にものが当たらないように保護している。
【００１５】
図３に示すように、取付台３５は、ソケット３３およびランプ３１の上方まで設けられた複数本（図３においては２本）の支持部材３５ａと、各支持部材３５ａの上方に設けられた半円形状の台３５ｂを有しており、両台３５ｂ、３５ｂの間に円形の開口３５ｃが形成されている。
【００１６】
図１（Ｂ）および図２（Ｂ）に示すように、台３５ｂの上面には可撓性を有する円形の弾性体からなる蓋部材４０が、一点においてネジ４１で取付けられている。従って、ネジ４１で取付けられている一点を中心として、図２（Ａ）中２点鎖線で示すように、容易に上方へ持ち上げて取付台３５の開口３５ｃを開けて、ランプ３１の交換等を行うことができるようになっている。また、蓋部材４０には、中央に大きめの放熱孔４２ａが設けられるとともに、多数の放熱孔４２ｂが設けられている。これにより、ランプ３１が発した熱を、照明装置１０の外部に放出できるようになっている。
【００１７】
図１に示すように、セード１１は中心に円筒形の支持部１１ａを有しており、支持部１１ａの外側に透光性の部材よって形成される二重のリング状の透光部１１ｂを有している。円筒形の支持部１１ａは灯具３０の外側に配され、取付台３５から外側に向かって放射状に設けられて灯具カバー３７を貫通している複数本（例えば３本以上）のセード支持棒３８によって支持されている。
【００１８】
以上、説明した照明装置１０によれば、ソケット３３に取付けたランプ３１よりも上方まで設けられた取付台３５の、ランプ３１の上方に設けられている開口３５ｃに蓋部材４０を取付けたので、使用者等が直接ランプ３１に接触して火傷を負ったり、ランプ３１を破損したりするのを防止することができる。
また、蓋部材４０を可撓性を有する弾性体で形成したので、蓋部材４０を容易に変形させてランプ３１の交換を行うことができる。さらに、蓋部材４０には放熱孔４２ａ、４２ｂを設けたので、ランプ３１の発する熱を、照明装置１０の外部に放出することができる。
また、弾性体の特性を利用して、セード１１の肩部に沿って戻る為、必ず蓋をする関係が維持できる（確実に蓋ができる）。戻れない位置までずれた場合は、セード１１が変形するため、蓋部材４０がずれていることが容易に認識できる。
【００１９】
なお、本発明の照明装置は、前述した実施形態に限定されるものでなく、適宜な変形，改良等が可能である。
例えば、前述した実施形態においては、可撓性を有する弾性部材からなる蓋部材４０として、平面状の円形のものを例示したが、その他、例えば図４に示すような蓋部材４０Ｂを用いることができる。この蓋部材４０Ｂでは、取付台３５の開口３５ｃに入り込むように傾斜面が設けられている。これにより、ランプ３１から発せられた光Ｂは、蓋部材４０Ｂの傾斜面に反射してセード１１方向へ照射することができるので、セード１１内部の照度を向上させることができる。
【００２０】
また、前述した実施形態においては、セード１１として二重リング状の透明部１１ｂを有するものを例示したが、これに限るものではない。
【産業上の利用可能性】
【００２１】
以上のように、本発明にかかる照明装置は、ソケットに取付けた光源よりも上方まで設けられた取付台の、光源の上方に設けられている開口に蓋部材を取付けたので、直接光源に接触するのを防止することができる。また、蓋部材を可撓性を有する弾性体で形成したので、蓋部材を容易に変形させて光源の交換を行うことができる。さらに、蓋部材には放熱孔を設けたので、光源の発する熱を放出することができるという効果を有し、光源を有する灯具にセードを取付けた照明装置等として有用である。
【図面の簡単な説明】
【００２２】
【図１】（Ａ）は本発明にかかる照明装置の正面図および断面図、（Ｂ）は同じく平面図
【図２】（Ａ）は灯具の正面図および断面図、（Ｂ）は同じく平面図
【図３】取付台の一例を示す斜視図
【図４】蓋部材の別の例を示す側面図
【図５】従来のスタンド型照明装置を示す断面図
【符号の説明】
【００２３】
１０  照明装置
１１  セード
２０  支持台
３０  灯具
３１  ランプ（光源）
３３  ソケット
３４  取付部
３５  取付台
３５ａ  支持部材
３５ｃ  開口
４０  蓋部材
４２ａ、４２ｂ  放熱孔
【図１】
2009129756.tif 000003
【図２】
2009129756.tif 000004
【図３】
2009129756.tif 000005
【図４】
2009129756.tif 000006
【図５】
2009129756.tif 000007